(57)【要約】【課題】エレベータロープの取付位置を広い範囲内から選んで所定の位置に適切に連結でき、かつ強度的にも安定してそのエレベータロープを支持することができるエレベータロープの端末支持装置を提供する。【解決手段】エレベータの昇降路内に設けられた巻上機に２：１ローピング方式のロープ掛けによるエレベータロープ３を介して昇降可能に吊り下げられる乗りかごおよび釣合い重りと、前記乗りかごの昇降をガイドする一対のガイドレール１０と、前記昇降路の上部において、前記一対のガイドレール１０の相互間に水平に架設され、前記エレベータロープの端末部の連結が可能な透孔２５を有する取付板２１とを具備し、前記取付板２１の透孔２５にエレベータロープ３の端末部を挿入して連結する。【選択図】      図１
2005154116.tif 000002
【特許請求の範囲】
【請求項１】
エレベータの昇降路内に設けられた巻上機に２：１ローピング方式のロープ掛けによるエレベータロープを介して昇降可能に吊り下げられる乗りかごおよび釣合い重りと、
前記乗りかごおよび釣合い重りの昇降をガイドする複数本のガイドレールと、
前記昇降路の上部において、前記複数本のうちの少なくとも２本以上のガイドレールの相互間に水平に架設され、前記エレベータロープの端末部の連結が可能な連結部を有する取付部材と、
を具備することを特徴とするエレベータロープの端末支持装置。
【請求項２】
前記取付部材には、前記エレベータロープの本数よりも多い数の連結部が設けられていることを特徴とする請求項１に記載のエレベータロープの端末支持装置。
【請求項３】
前記取付部材は前記ガイドレールに対して上下の位置調整が可能に架設されていることを特徴とする請求項１または２に記載のエレベータロープの端末支持装置。
【請求項４】
前記取付部材は、前記昇降路内にエレベータ用の機材や機器をウインチやチェーンブロック等の揚重機で吊り下げるときの吊元として利用することが可能となっていることを特徴とする請求項１ないし３のいずれかに記載のエレベータの端末支持装置。
【発明の詳細な説明】
【技術分野】
【０００１】
この発明は、乗りかごおよび釣合い重りを昇降路内に吊り下げ、巻上機による駆動でその乗りかごおよび釣合い重りを昇降させるエレベータロープの端末部を連結して支持するエレベータロープの端末支持装置に関する。
【背景技術】
【０００２】
エレベータロープ（メインロープ）のロープ掛け方式としては、１：１ローピング方式と２：１ローピング方式とがあり、１：１ローピング方式はエレベータロープの途中を巻上機のシーブに巻き掛け、その一端部に乗りかごを、他端部に釣合い重りをそれぞれ連結して昇降路内に吊り下げ、前記巻上機による駆動でその乗りかごと釣合い重りを昇降させる方式である。
【０００３】
また、２：１ローピング方式は、図８に示すように、巻上機１のシーブ２にエレベータロープ３の途中を巻き掛け、このエレベータロープ３の一端側を乗りかご４に設けられたかごシーブ５に通し、その端末部を支持部に連結して支持し、エレベータロープ３の他端側を釣合い重り６に設けられた重りシーブ７に通し、その端末部を支持部に連結して支持して乗りかご４および釣合い重り６を昇降路内に吊り下げ、巻上機による駆動でその乗りかごと釣合い重りを昇降させる方式である。
【０００４】
ところで、従来一般のエレベータは、昇降路の上方部に機械室が設けられ、この機械室に巻上機が設置され、機械室の下方の昇降路内に乗りかごおよび釣合い重りが吊り下げられる。
【０００５】
このような機械室付きタイプのエレベータにおいて、２：１ローピング方式を採用する場合には、エレベータロープ３の端末部は機械室の床梁等に連結して安定して支持することができる。
【０００６】
ところが、近年においては、昇降路の上方部に機械室がなく、巻上機を昇降路の上部に設置する機械室レスタイプのエレベータが採用されるようになってきているが、このような機械室レスタイプのエレベータにおいて、２：１ローピング方式を採用する場合には、エレベータロープ３の端末部は図８および図９に示す構造により支持される。
【０００７】
図８および図９に示す１０は、乗りかご用あるいは釣合い重り用のガイドレールで、このガイドレール１０の背面に支え部材１１がボルト等により取り付けられている。この支え部材１１は断面がほぼコ字状をなし、ガイドレール１０の一方側に水平に突出し、その突出側の上面に取付板１２が溶接等により水平にかつ片持ち式に取り付けられている。なお１３は、取付板１２の下面側に設けられた補強板である。そして前記取付板１２にエレベータロープ３の端末部がシャックルロッド１４を介して取り付けられている。
【発明の開示】
【発明が解決しようとする課題】
【０００８】
ところが、このようにガイドレール１０に片持ち式に取付板１２を設け、この取付板１２にエレベータロープ３の端末部を取り付けて支持する構造では、エレベータロープ３を取り付ける位置がガイドレール１０の近くに制限されてしまう。
【０００９】
このため、エレベータロープ３が乗りかごや釣合い重りの側部に沿うように引き回されるタイプの場合に限りその適用が可能で、図７に示すように乗りかごや釣合い重りの軸方向中心近くにエレベータロープ３が引き回されるタイプの場合にはその適用が難しくなる。
【００１０】
また、エレベータロープ３を支持する取付板１２がガイドレール１０に対して片持ち式で支持されるため、強度的な安定性にも欠ける難点がある。
【００１１】
この発明は、このような点に着目してなされたもので、その目的とするところは、エレベータロープの取付位置を広い範囲内から選んで所定の位置に適切に連結でき、かつ強度的にも安定してそのエレベータロープを支持することができるエレベータロープの端末支持装置を提供することにある。
【課題を解決するための手段】
【００１２】
請求項１の発明は、エレベータの昇降路内に設けられた巻上機に２：１ローピング方式のロープ掛けによるエレベータロープを介して昇降可能に吊り下げられる乗りかごおよび釣合い重りと、前記乗りかごおよび釣合い重りの昇降をガイドする複数本のガイドレールと、前記昇降路の上部において、前記複数本のうちの少なくとも２本以上のガイドレールの相互間に水平に架設され、前記エレベータロープの端末部の連結が可能な連結部を有する取付部材とを具備することを特徴としている。
【００１３】
請求項２の発明は、前記取付部材に、前記エレベータロープの本数よりも多い数の連結部が設けられていることを特徴としている。
【００１４】
請求項３の発明は、前記取付部材が前記ガイドレールに対して上下の位置調整が可能に架設されていることを特徴としている。
【００１５】
請求項４の発明は、前記取付部材が、前記昇降路内にエレベータ用の機材や機器をウインチやチェーンブロック等の揚重機で吊り下げるときの吊元として利用することが可能となっていることを特徴としている。
【発明の効果】
【００１６】
この発明によれば、エレベータロープの取付位置を広い範囲内から選んで所定の位置に適切に連結でき、かつ強度的にも安定してそのエレベータロープを支持することができる。
【発明を実施するための最良の形態】
【００１７】
以下、この発明の実施の形態について図１ないし図６を参照して説明する。なお、従来の構成と対応する部分には同一符号を付してその重複する説明を省略する。
【００１８】
図１および図２には第１の実施形態を示してあり、図１はエレベータロープの端末支持装置の正面図、図２は図１中のＡ−Ａ線に沿う断面図であり、昇降路内には乗りかご用の一対のガイドレール１０が互に対向して平行にかつ垂直に延びるように設けられている。
【００１９】
各ガイドレール１０の上部の背面にはそれぞれ平板２０が溶接あるいはボルトにより取り付けられている。そして一対のガイドレール１０の相互間の上部に水平に取付部材としての取付板２１が架設され、この取付板２１が前記各平板２０の上端面で支持されている。
【００２０】
取付板２１には、両端部にガイドレール１０の断面形状に対応する通し穴２２が形成され、これら通し穴２２にガイドレール１０が嵌合されている。また、取付板２１の両端側の両側部と平板２０の内面側の両側部とに間に補強板２３が取り付けられている。
【００２１】
本実施形態におけるエレベータは、平行に引き揃えられた例えば２本のエレベータロープ３で乗りかごおよび釣合い重りが吊り下げられたタイプとなっており、前記取付板２１の任意の位置には、前記各エレベータロープ３の端末部を連結する連結部としての一対の透孔２５が互に隣り合って形成されている。
【００２２】
そして、乗りかごのシーブから導出された側のエレベータロープ３の端末部のシャックルロッド１４が取付板２１の下側から前記透孔２５に挿入され、その挿入先端側に緩衝用のコイルばね２７およびナット２８が装着され、これによりエレベータロープ３の端末部が取付板２１に連結され、支持されている。
【００２３】
なお、前記透孔２５は、取付板２１に予め形成しておく場合であっても、エレベータの設置工事中に形成する場合であってもよい。
【００２４】
以上の説明は、乗りかごのシーブから導出された側のエレベータロープ３の端末部の支持構造についての説明であるが、釣合い重りのシーブから導出された側のエレベータロープ３の端末部もその釣合い重り用の一対のガイドレール間に架設された取付板を介して同様の構造で支持されている。
【００２５】
このように本実施形態においては、一対のガイドレール１０間に架設されたスパンの長い取付板２１にエレベータロープ３の端末部を取り付ける構造であり、このためその取付位置を取付板２１の広い範囲内のいずれかの位置に任意に定めることができ、したがってエレベータロープ３が乗りかごや釣合い重りの側部に沿うように引き回されるタイプの場合であっても、エレベータロープ３が乗りかごや釣合い重りの軸方向中心近くに引き回されるタイプの場合であっても容易にそれに対応することができる。
【００２６】
また、エレベータロープ３を支持する取付板２１が一対のガイドレール１０間に架設された両端持ち構造となっており、このため十分な強度を得られ、エレベータロープ３を安定して支持することができる。
【００２７】
さらに前記取付板２１は、エレベータの設置や保守の工事中において、ウインチやチェーンブロック等の揚重機を用いて各種の機材や機器等を吊り上げて移動する際の吊元として活用することができる。そしてこの場合にも、取付板２１が一対のガイドレール１０間に跨る長いスパンを有するから、その吊元の位置を自由に選択することができる。
【００２８】
図３には第２の実施形態を示してあり、この実施形態においては、乗りかごおよび釣合い重りを吊り下げるエレベータロープ３の本数より多い多数の透孔２５が取付板２１に一定のピッチで予め形成されている。
【００２９】
この場合には、エレベータの設置工事の途中に種々の条件でエレベータロープ３の取付位置が変更となる場合であっても、その多数のなかから適切な位置の透孔２５を選んでエレベータロープ３の端末部を適切に取り付けることができる。
【００３０】
図４には第３の実施形態を示してあり、この実施形態においては、取付板２１を支持する平板２０に上下に長い長孔３０が複数形成され、これら長孔３０からガイドレール１０の背面に渡ってボルト３１が螺挿され、これらボルト３１の締め付けにより平板２０がガイドレール１０に上下調整可能に締結されている。
【００３１】
この場合には、各ボルト３１を緩め、平板２０を上下に移動し、所定の位置で各ボルト３１を締め付けて平板２０をガイドレール１０に締結することにより、取付板２１の高さのレベル位置を調整することができる。
【００３２】
このため、エレベータの設置工事の途中に種々の条件でエレベータロープ３の取り付けのレベル位置が変更となる場合であっても、取付板２１の高さの位置を調整してそれに対応することができる。
【００３３】
図５には第４の実施形態を示してあり、この実施形態おいては、昇降路内に乗りかご用の一対のガイドレール１０ａと釣合い重り用の一対のガイドレール１０ｂが互に平行に並ぶように設けられている。
【００３４】
そして、乗りかご用の一方のガイドレール１０ａと釣合い重り用の一方のガイドレール１０ｂとの間に跨って取付板２１が水平にかつ昇降路の壁面に対して傾斜するように取り付けられている。
【００３５】
このような構造においても、エレベータロープ３の端末部の取付位置を取付板２１の広い範囲のうちから選んで適切な位置に取り付けることができる。
【００３６】
さらにこの実施形態では、取付板２１が釣合い重り用のガイドレール１０ｂの近くにまで延びているから、釣合い重りのシーブから導出された側のエレベータロープ３の端末部もその取付板２１に連結して支持することが可能となる。
【００３７】
図６には第５の実施形態を示してあり、この実施形態おいては、昇降路内に乗りかご用の一対のガイドレール１０ａと釣合い重り用の一対のガイドレール１０ｂが互に直角に配置するように設けられている。
【００３８】
そして、乗りかご用の一方のガイドレール１０ａと釣合い重り用の一方のガイドレール１０ｂとの間に跨って取付板２１が水平にかつ昇降路の壁面に対して傾斜するように取り付けられている。
【００３９】
このような構造においても、エレベータロープ３の端末部の取付位置を取付板２１の広い範囲のうちから選んで適切な位置に取り付けることができる。
【００４０】
そしてこの実施形態においても、取付板２１が釣合い重り用のガイドレール１０ｂの近くにまで延びているから、釣合い重りのシーブから導出された側のエレベータロープ３の端末部もその取付板２１に連結して支持することが可能となる。
【００４１】
なお、前記各実施形態においては、複数本のガイドレールのうちの２本のガイドレールの相互間に取付部材を架設するようにしたが、２本以上のガイドレールの相互間に取付部材を架設するような場合であってもよい。
【図面の簡単な説明】
【００４２】
【図１】この発明の第１の実施形態に係るエレベータロープの端末支持装置の正面図。
【図２】図１中のＡ−Ａ線に沿う断面図。
【図３】この発明の第２の実施形態に係るエレベータロープの端末支持装置の断面図。
【図４】この発明の第３の実施形態に係るエレベータロープの端末支持装置の側面図。
【図５】この発明の第４の実施形態に係るエレベータロープの端末支持装置の断面図。
【図６】この発明の第５の実施形態に係るエレベータロープの端末支持装置の断面図。
【図７】２：１ローピング方式のエレベータの概略的な構成を示す構成図。
【図８】従来のエレベータロープの端末支持装置の正面図。
【図９】図８中のＢ−Ｂ線に沿う断面図。
【符号の説明】
【００４３】
１…巻上機
３…エレベータロープ
４…乗りかご
６…釣合い重り
１０，１０ａ，１０ｂ…ガイドレール
２０…平板
２１…取付板
２５…透孔
３０…長孔
３１…ボルト
【図１】
2005154116.tif 000003
【図２】
2005154116.tif 000004
【図３】
2005154116.tif 000005
【図４】
2005154116.tif 000006
【図５】
2005154116.tif 000007
【図６】
2005154116.tif 000008
【図７】
2005154116.tif 000009
【図８】
2005154116.tif 000010
【図９】
2005154116.tif 000011